(57)【要約】　　　（修正有）【課題】複数の部材の摩擦により発生する音を増幅させて音を発するようにされた構成の簡単な、趣向に富んだ音を発生させる新規の玩具を提供する。【解決手段】使用者が把持しうる把持部材１１と、把持部材１１に係止される発音体１２とを備え、発音体１２は、把持部材に着脱可能に係止される糸状部材１３と、糸状部材１３と把持部材１１との間に発生する摩擦音を増幅し得る発音体本体とを有し、把持部材に糸状部材１３を介して発音体を係合させた状態で把持部材を動かして発音体を運動させることにより、把持部材と糸状部材との間に発生する摩擦音を発音体本体により増幅させて音を発生させるようにされたことを特徴とする。【選択図】　　　　図１
0003096982.tif 000002
【実用新案登録請求の範囲】
【請求項１】
使用者が把持しうる把持部材と、上記把持部材に係止される発音体とを備え、上記上記把持部材を動かして発音体を運動させることにより、把持部材と上記発音体との間に発生する摩擦音を上記発音体により増幅させて音を発生させることを特徴とする玩具。
【請求項２】
上記発音体は、上記把持部材に着脱可能に係止される糸状部材と、上記糸状部材と把持部材との間に発生する摩擦音を増幅し得る発音体本体とを有し、上記把持部材に上記糸状部材を介して発音体を係合させた状態で上記把持部材を動かして発音体を運動させることにより、把持部材と糸状部材との間に発生する摩擦音を上記発音体本体により増幅させて音を発生させることを特徴とする請求項１記載の玩具。
【請求項３】
上記把持部材は棒状に形成され、上記発音体本体は筒状に形成されると共に上記発音体本体には共鳴板が張設され、上記糸状部材は上記共鳴板に結合されていることを特徴とする請求項１又は２記載の玩具。
【請求項４】
上記発音体本体は両端部が開口した筒状に形成され、上記共鳴板は上記発音体本体の一方の開口部に張設されていることを特徴とする請求項３記載の玩具。
【請求項５】
上記把持部材の端部には松脂が塗布された凹部が形成されていると共に、上記糸状部材は合成樹脂製であって、上記糸状部材は上記凹部に係止されることを特徴とする請求項４記載の玩具。
【考案の詳細な説明】
【０００１】
【考案が属する技術分野】
本考案は、玩具に係り、特に、複数の部材の摩擦により発生する音を増幅させて音を発する玩具に関する。
【０００２】
【従来の技術】
現在、様々な玩具が出回っているが、簡単な構造で音を発生させ、発生した音を楽しむ玩具を出願人は認識していない。
【０００３】
【考案が解決しようとする課題】
そこで、本考案は、簡単な構成で、趣向に富んだ音を発生させる玩具を提供する。
【０００４】
【課題を解決するための手段】
本考案にあっては、使用者が把持しうる把持部材と、上記把持部材に係止される発音体とを備え、上記上記把持部材を動かして発音体を運動させることにより、把持部材と上記発音体との間に発生する摩擦音を上記発音体により増幅させて音を発生させることを特徴とする。
【０００５】
従って、本考案にあっては、使用者は発音体により発生した音声を楽しむことができる。
【０００６】
また、把持部材を把持して発音体を運動させることから、発生する音声を楽しむことができると共に、上記発音体を適宜運動させて楽しむこともできる。
【０００７】
また、本考案にあっては、上記発音体は、上記把持部材に着脱可能に係止される糸状部材と、上記糸状部材と把持部材との間に発生する摩擦音を増幅し得る発音体本体とを有し、上記把持部材に上記糸状部材を介して発音体を係合させた状態で上記把持部材を動かして発音体を運動させることにより、把持部材と糸状部材との間に発生する摩擦音を上記発音体本体により増幅させて音を発生させることを特徴とする。
【０００８】
従って、本考案にあっては、使用者は、把持部材に対して、糸状部材を介して発音体本体を係止させた状態で、把持部材を適宜運動させることにより上記糸状部材を介して発音体本体を運動させ、上記糸状部材と把持部材との間に発生する摩擦により発生する音を糸状部材を介して発音体本体へ伝達させ、発音体本体において増幅させる。
【０００９】
その結果、本考案にあっては、音を発生させて楽しむ場合にのみ糸状部材を介して把持部材に係合させるように構成されており、従って、本考案にあっては、非常に簡単な構造であっても、糸電話と同様の原理により一定の大きさの音を発生させて楽しむことができる。
【００１０】
また、本考案にあっては、上記把持部材は棒状に形成され、上記発音体は筒状に形成されると共に上記発音体には共鳴板が張設され、上記糸状部材はループ状に形成されて上記共鳴板に結合されていることを特徴とする。
【００１１】
従って、使用者が上記棒状の把持部材を把持して把持部材を揺動又は回転動させた場合には、上記把持部材にループ状の糸状部材がかけ回されて係止された筒状の発音体本体を揺動又は回転運動させることができる。
【００１２】
この発音体本体の揺動又は回転運動により発生する遠心力により糸状部材が把持部材に圧接し、その結果、糸状部材と把持部材との間に発生する摩擦音が糸状部材を介して発音体の共鳴板に伝達され、共鳴板は上記摩擦音を増幅して発音する。
【００１３】
従って、使用者の行う揺動又は回転運動の大きさ、程度に応じて遠心力の大きさも異なり、糸状部材の把持部材への圧接の程度も変化し、発生する摩擦力も異なる。その結果、発生する音声の大きさ、音色も異なる。
【００１４】
従って、本考案に係る玩具にあっては、使用者の意思により発生する音声を適宜変化させて楽しむことができる。
【００１５】
また、本考案にあっては、上記発音体は、両端部が開口した筒状に形成され、上記共鳴板は上記発音体の一方の開口部に張接されていることを特徴とする。
【００１６】
従って、本考案にあっては、筒状に形成された発音体本体の一端部は開口していることから、他端部に張設された共鳴板により増幅された摩擦音は筒状の発音体により増幅されて上記開口している一端部から発音される。
【００１７】
従って、本考案にあっては、非常に簡単な構造であっても、糸電話と同様の原理により一定の大きさの音を発生させて楽しむことができる。
【００１８】
また、本考案にあっては、上記把持部材の端部には松脂が塗布された凹部が形成されていると共に、上記糸状部材は合成樹脂製であって、上記糸状部材は上記凹部に係止されることを特徴とする。
【００１９】
従って、本考案にあっては、上記凹部に塗布された松脂により、糸状部材が合成樹脂製であることと相俟って、凹部と糸状部材との間に発生する摩擦力が大きくなり、大きな音を発生させることができる。
【００２０】
【考案の実施の形態】
図１に示す実施の形態に係る玩具１０は、使用者が把持しうる棒状の把持部材１１と、上記把持部材１１に係止される発音体１２とを備え、上記上記把持部材１１を動かして発音体１２を運動させることにより、把持部材１１と上記発音体１２との間に発生する摩擦音を上記発音体１２により増幅させて音を発生しうるように形成されているものである。
【００２１】
上記発音体１２は、上記把持部材１１に着脱可能に係止される糸状部材１３と、上記糸状部材１３と把持部材１１との間に発生する摩擦音を増幅し得る発音体本体１４とを有し、上記糸状部材１３の把持部材１１側の係止側部１５は、合成樹脂製テグスをループにすることで構成され、同じく発音体本体１４側の基端側部１６は木綿糸をループにすることにより形成され、係止側部１５と基端側部１６とが結合されることにより構成されている。
【００２２】
本実施の形態にあっては、上記糸状部材１３は合成樹脂製テグス、木綿糸により形成されているが、本実施の形態に限定されず、細いピアノ線、動物の毛、他の材料を用いることができる。
【００２３】
また、発音体本体１４は、図１、図２及び図３に示すように、陶器製の筒状体１７と当該筒状体１７の一方の開口に張設されたボール紙製の共鳴板１８とこれ等筒状体１７、共鳴板１８の外表面に被着された化粧紙１９とにより形成されている。この化粧紙１９は布、皮に替えて実施することができる。
【００２４】
上記共鳴板１８は、その中心に糸通し孔２３が開けられ、この糸通し孔２３には上記糸状部材１３の基端側部１６が挿通され、当該基端側部１６の発音体本体１４内に突出した端には抜止め部材２０が結止されている。
【００２５】
また、上記把持部材１１は、図１及び図４に示すように、竹材を棒状にして形成され、松脂２１が塗布された凹部２２が形成されている。この凹部２２は先端部に設けられている。
【００２６】
本実施の形態にあっては、把持部材１１は竹材により形成され且つ棒状に形成されているが、本実施の形態に限定されず、他の材料を用いること、管形状、握り部付き、他の形にすることができる。また本実施の形態にあっては、筒状体１７は陶器により形成され且つ丸筒状に形成されているが、本実施の形態に限定されず、金属、プラスチック、木、その他材料を用いること、角筒状、穴明きの球形、その他の形にすることができる。
【００２７】
【作用】
上記実施の形態に係る玩具１０にあっては、上記把持部材１１に糸状部材１３の係止側部１５を掛け回して上記発音体１２を吊り下げてから上記把持部材１１に対して、当該把持部材１１が円軌道を作るように勢い良く回す遊戯操作を行った場合、又は円弧状軌道を形成するように動かした場合には、発音体１２は上記把持部材１１を中心とする遠心力によって同把持部材１１を中心として回転されると共に、この回転に伴って上記糸状部材１３の係止側部１５と上記把持部材１１とが軋み合って音を鳴りたてることになる。この場合、把持部材１１を回すスピードや上記発音体１２の把持部材１１に向いている方向等を遊戯者が任意に変化させたときには、これに伴って、上記軋み音（摩擦音）の強さや高さが変化させることができる。すなわち音色を楽しむことができる。
【００２８】
【考案の効果】
本発明の請求項１に係る玩具にあっては、使用者が把持しうる把持部材と、上記把持部材に係止される発音体とを備え、上記上記把持部材を動かして発音体を運動させることにより、把持部材と上記発音体との間に発生する摩擦音を上記発音体により増幅させて音を発生させることを特徴とするので、把持部材を把持して発音体を運動させることで、発生する音声を楽しむことができると共に、上記発音体を適宜運動させて楽しむこともできる。
【００２９】
また、請求項２に係る玩具にあっては、上記発音体は、上記把持部材に着脱可能に係止される糸状部材と、上記糸状部材と把持部材との間に発生する摩擦音を増幅し得る発音体本体とを有し、上記把持部材に上記糸状部材を介して発音体を係合させた状態で上記把持部材を動かして発音体を運動させることにより、把持部材と糸状部材との間に発生する摩擦音を上記発音体本体により増幅させて音を発生させることを特徴とするので、非常に簡単な構造であっても、糸電話と同様の原理により一定の大きさの音を発生させて楽しむことができる。
【００３０】
また、請求項３に係る玩具にあっては、上記把持部材は棒状に形成され、上記発音体は筒状に形成されると共に上記発音体には共鳴板が張設され、上記糸状部材はループ状に形成されて上記共鳴板に結合されていることを特徴とするので、使用者が上記把持部材を把持してこれを揺動又は回転動させる場合には、使用者は、自分の意思により発生する音声を適宜変化させて楽しむことができる。
【００３１】
また、請求項４に係る玩具にあっては、上記発音体本体は、両端部が開口した筒状に形成され、上記共鳴板は上記発音体本体の一方の開口部に張接されていることを特徴とするので、非常に簡単な構造であっても、糸電話と同様の原理により一定の大きさの音を発生させて楽しむことができる。
【００３２】
また、請求項５に係る玩具にあっては、上記把持部材の端部には松脂が塗布された凹部が形成されていると共に、上記糸状部材は合成樹脂製であって、上記糸状部材は上記凹部に係止されることを特徴とするので、上記凹部に塗布された松脂により、糸状部材が合成樹脂製であることと相俟って、凹部と糸状部材との間に発生する摩擦力が大きくなり、大きな音を発生させることができる。
【図面の簡単な説明】
【図１】本考案の実施の形態を示す斜視図である。
【図２】発音体を示す斜視図である。
【図３】同じく縦断面図である。
【図４】把持部材を示す一部切截正面図である。
【符号の説明】
１０　実施の形態に係る玩具
１１　把持部材
１２　発音体
１３　糸状部材
１４　発音体本体
１５　係止側部
１６　基端側部
１７　筒状体
１８　共鳴板
１９　化粧紙
２０　抜止め部材
２１　松脂
２２　凹部
２３　糸通し孔
【図１】
0003096982.tif 000003
【図２】
0003096982.tif 000004
【図３】
0003096982.tif 000005
【図４】
0003096982.tif 000006